(57)【特許請求の範囲】
【請求項１】
長手方向、幅方向及び厚さ方向を有し、液透過性層と、液不透過性層と、前記液透過性層と前記液不透過性層との間に位置する吸収層とを備える吸収性物品であって、
前記吸収層は、前記吸収性物品の排泄口当接域に対して前記長手方向の外側に位置し、前記幅方向に延設され、排泄物を幅方向に拡散させる幅方向拡散手段と、前記長手方向に延設され、前記幅方向の中央領域に位置する消臭剤配置領域と、を備え、
前記幅方向拡散手段は、前記消臭剤配置領域と交差しており、
前記幅方向拡散手段の前記幅方向の両端部は、前記消臭剤配置領域の前記幅方向の外側に位置している、
吸収性物品。
【請求項２】
前記消臭剤配置領域に対して前記幅方向の両外側に配置され、前記長手方向に延設され、排泄物を長手方向に拡散させる長手方向拡散手段と、を更に備える、
請求項1に記載の吸収性物品。
【請求項３】
前記長手方向拡散手段は、前記排泄口当接域に対して前記幅方向の外側に延設される、
請求項２に記載の吸収性物品。
【請求項４】
前記長手方向拡散手段は、前記幅方向において前記幅方向拡散手段の外側で、前記長手方向において前記幅方向拡散手段の外側に延設されている、
請求項２又は３に記載の吸収性物品。
【請求項５】
前記液透過性層は、前記長手方向に延設され、前記幅方向に所定の間隔で隣り合う複数の畝部と、前記複数の畝部のうちの隣り合う畝部の間に、前記長手方向に延設された複数の溝部と、を備える、
請求項１乃至４のいずれか一項に記載の吸収性物品。
【請求項６】
前記排泄口当接域及び前記排泄口当接域と前記幅方向拡散手段との間に個包装用の折り目を有さない、
請求項１乃至５のいずれか一項に記載の吸収性物品。
【請求項７】
前記幅方向拡散手段の位置に、前記幅方向に沿って個包装用の折り目を有する、
請求項１乃至６のいずれか一項に記載の吸収性物品。
【請求項８】
前記排泄口当接域に対して前記幅方向の両外側に、前記長手方向に沿って延設され、液透過性層に固定された防漏壁を更に備え、
前記防漏壁は、前記長手方向において、前記幅方向拡散手段よりも前記吸収層の端部の近傍まで延びており、前記幅方向において、前記幅方向拡散手段よりも外側に位置する、
請求項１乃至７のいずれか一項に記載の吸収性物品。
【請求項９】
前記幅方向拡散手段は、前記幅方向に延設され、前記厚さ方向において前記液透過性層の表面から前記吸収層に達する溝部である、
請求項１乃至８のいずれか一項に記載の吸収性物品。
【請求項１０】
前記液不透過性層の前記吸収層と反対側の表面に、長手方向に延在し、幅方向の中心点を挟んで所定の間隔で配置された一対の固定部を更に備える、
請求項９に記載の吸収性物品。
【発明の詳細な説明】
【技術分野】
【０００１】
本発明は、吸収性物品に関する。
【背景技術】
【０００２】
軽失禁パッド、生理用ナプキン、使い捨ておむつのような吸収性物品は、着用者から排泄された尿や経血などの排泄物を吸収し、保持するために用いられている。吸収性物品の吸収体に吸収される排泄物は、通常、不快な臭気を発するため、その臭気を抑制するための消臭機能を有する吸収性物品が検討されている。
【０００３】
消臭機能を有する吸収性物品としては、例えば特許文献１に消臭剤を含有する吸収性物品が開示されている。この吸収性物品は、表面シートと吸収コアとの間又は吸収コア内に消臭剤が含有されており、消臭剤の平均坪量が、溝が形成されていない部分よりも溝が形成された部分において小さい、という構成を有している。
【先行技術文献】
【特許文献】
【０００４】
【特許文献１】特開２００１−３５３１７４号公報
【発明の概要】
【発明が解決しようとする課題】
【０００５】
ところが、特許文献１の吸収性物品では、消臭機能が強すぎる、すなわち消臭剤の量が多すぎると、吸収性物品による排泄物の吸収量が多くなっても排泄物の臭気がしなくなる。そのため、着用者は吸収性物品の臭気では交換時期を把握することができず、適切な交換時期を逃してしまうおそれがある。逆に、消臭機能が弱すぎる、すなわち消臭剤の量が少なすぎると、吸収性物品による排泄物の吸収量が少なくても、排泄物の臭気がし始める。そのため、着用者が吸収性物品の臭気により吸収性物品を交換すると、適切な交換時期よりも早くなってしまうおそれがある。いずれにしても、このような吸収性物品では、着用者が排泄物の臭気で吸収性物品の交換時期を的確に把握することは困難である。
【０００６】
そこで、本発明の目的は、消臭機能を備えつつ、交換時期を的確に把握できる吸収性物品を提供することにある。
【課題を解決するための手段】
【０００７】
本発明の吸収性物品は次のとおりである。
（１）長手方向、幅方向及び厚さ方向を有し、液透過性層と、液不透過性層と、前記液透過性層と前記液不透過性層との間に位置する吸収層とを備える吸収性物品であって、前記吸収層は、前記吸収性物品の排泄口当接域に対して前記長手方向の外側に位置し、前記幅方向に延設され、排泄物を幅方向に拡散させる幅方向拡散手段と、前記長手方向に延設され、前記幅方向の中央領域に位置する消臭剤配置領域と、を備え、前記幅方向拡散手段は、前記消臭剤配置領域と交差しており、前記幅方向拡散手段の前記幅方向の両端部は、前記消臭剤配置領域の前記幅方向の外側に位置している、吸収性物品。
【０００８】
本吸収性物品は、上記のように構成されるので、吸収性物品の使用時において、吸収性物品が吸収している排泄物の量が少ないときには、排泄口から排出された排泄物は、主に長手方向に移動しつつ、吸収層の吸収体材料内に吸収される。このとき、排泄物の移動する長手方向に沿って消臭剤配置領域に消臭剤が配置されているので、排泄物の臭気は消臭剤により吸収されて、外部への漏えいが起こらない。すなわち、吸収性物品が吸収している排泄物の量が少ないときには、排泄物の臭気の漏えいは起こらない。
一方、吸収性物品が吸収している排泄物の量が多いとき、すなわち交換時期が近づいたときには、吸収層の吸収体材料内に吸収されない排泄物は更に長手方向に移動して、幅方向拡散手段に達する。そして、その排泄物は、一部は幅方向拡散手段内をその幅方向の両端部へ向かって拡散し、残りはそのまま幅方向拡散手段を超えて長手方向に移動する。このとき、幅方向拡散手段を超えて長手方向に移動する排泄物については、排泄物の移動する長手方向に沿って消臭剤配置領域に消臭剤が配置されているので、排泄物の臭気は消臭剤により吸収されて、外部への漏えいが起こらない。一方、幅方向拡散手段内の幅方向の両端部へ向かって拡散する排泄物については、排泄物の臭気は消臭剤によりあまり吸収されず、外部へ漏洩する。その理由は、幅方向拡散手段内を幅方向の両端部へ向かって拡散する排泄物の量が、幅方向拡散手段を介さずに拡散する場合と比較して多いこと、幅方向拡散手段の両端部及びその近傍は消臭剤配置領域の外側の領域なので、消臭剤の量が少ないか又はゼロであり、消臭剤配置領域からも離れていること、などである。すなわち、吸収性物品が吸収している排泄物の量が多いときには、幅方向拡散手段の両端部へ拡散した排泄物により、幅方向拡散手段の両端部及びその近傍において、臭気が発生することになる。ただし、幅方向拡散手段へ達した排泄物のうち、幅方向拡散手段の両端部へ拡散する排泄物の量は相対的に少ないため、発生する臭気の量も少ない。言い換えると、着用者はその臭気に気付くことができるが、周囲の人は気付くことができない程度の臭気を吸収性物品は発することができる。このようにして、消臭機能を備えつつ、交換時期を把握可能な吸収性物品を得ることができる。
【０００９】
（２）前記消臭剤配置領域に対して前記幅方向の両外側に配置され、前記長手方向に延設され、排泄物を長手方向に拡散させる長手方向拡散手段と、を更に備える、上記（１）に記載の吸収性物品であってもよい。
本吸収性物品は、上記のように構成されるので、吸収性物品が吸収している排泄物の量が多くなり、消臭剤配置領域に対して幅方向の外側に排泄物が拡散してきたときも、その排泄物を長手方向に拡散させ、長手方向拡散手段の端部又はその近傍において排泄物の量を多くすることができる。すなわち、交換時期が近づいたとき、長手方向拡散手段の端部又はその近傍において排泄物の量を多くして、臭気を発生し易くすることができる。
【００１０】
（３）前記長手方向拡散手段は、前記排泄口当接域に対して前記幅方向の外側に延設されている、上記（２）に記載の吸収性物品であってもよい。
本吸収性物品は、上記のように構成されるので、吸収性物品が吸収している排泄物の量が多くなり、排泄物を排出する排泄口当接域に対して幅方向の外側に排泄物が拡散したときも、その排泄物を長手方向に確実に拡散させ、長手方向拡散手段の端部又はその近傍において排泄物の量を多くすることができる。すなわち、排泄物の漏えいを防止しつつ、交換時期が近づいたとき、長手方向拡散手段の端部又はその近傍において排泄物の量を多くして、臭気を発生し易くすることができる。
【００１１】
（４）前記長手方向拡散手段は、前記幅方向において前記幅方向拡散手段の外側で、前記長手方向において前記幅方向拡散手段の外側に延設されている、上記（２）又は（３）に記載の吸収性物品であってもよい。
本吸収性物品は、上記のように構成されるので、吸収性物品が吸収している排泄物の量が多くなり、排泄物が長手方向拡散手段内を長手方向に拡散したとき、幅方向拡散手段を超えて長手方向の外側に排泄物を拡散させることができる。すなわち、幅方向拡散手段の端部から離れた箇所にその排泄物を拡散させることができる。それにより、交換時期が近づいたとき、排泄物が集中することなく、すなわち臭気が極端に強くならないようにしながら、臭気を発生し易くすることができる。
【００１２】
（５）前記表面シートは、前記長手方向に延設され、前記幅方向に所定の間隔で隣り合う複数の畝部と、前記複数の畝部のうちの隣り合う畝部の間に、前記長手方向に延設された複数の溝部と、を備える、上記（１）乃至（４）のいずれか一項に記載の吸収性物品であってもよい。
本吸収性物品は、上記のように構成されるので、排泄物をその畝溝に沿って長手方向に容易に移動させることができる。それにより、吸収性物品が吸収している排泄物の量が多くなったとき、すなわち交換時期が近づいたとき、排泄物を確実に幅方向拡散手段に導いて、幅方向拡散手段の幅方向の両端部から送出させて、確実に臭気を発生させることができる。
【００１３】
（６）前記排泄口当接域及び前記排泄口当接域と前記幅方向拡散手段との間に個包装用の折り目を有さない、上記（１）乃至（５）のいずれか一項に記載の吸収性物品であってもよい。
本吸収性物品は、上記のように構成されるので、排泄物が排泄口当接域から長手方向に拡散することを折り目により妨害されることはなく、排泄物をより確実に幅方向拡散手段へ供給することができる。それにより、吸収性物品が吸収している排泄物の量が多くなったとき、すなわち交換時期が近づいたとき、排泄物を確実に幅方向拡散手段に供給して、幅方向拡散手段の幅方向の両端部から送出させることで、確実に臭気を発生させることができる。
【００１４】
（７）前記幅方向拡散手段の位置に、前記幅方向に沿って個包装用の折り目を有する、上記（１）乃至（６）のいずれか一項に記載の吸収性物品であってもよい。
本吸収性物品は、上記のように構成されるので、吸収性物品が吸収している排泄物の量が多くなったとき、その折り目により長手方向へ移動する排泄物の動きを抑制させて、幅方向拡散手段内の排泄物を確実に幅方向に拡散させることができる。すなわち、幅方向拡散手段の幅方向の両端部付近に排泄物を確実に移動させることができる。それにより、交換時期が近づいたとき、確実に臭気を発生させることができる。
【００１５】
（８）前記排泄口当接域に対して前記幅方向の両外側に、前記長手方向に沿って延設され、液透過性層に固定された防漏壁を更に備え、前記防漏壁は、前記長手方向において、前記幅方向拡散手段よりも前記吸収層の端部の近傍まで延び、前記幅方向において、前記幅方向拡散手段よりも外側に位置している、上記（１）乃至（７）のいずれか一項に記載の吸収性物品であってもよい。
本吸収性物品は、上記のように構成されるので、吸収性物品が吸収している排泄物の量が多くなり、排泄口当接域に対して幅方向の外側に排泄物が拡散し、防漏壁に達したとき、その排泄物を長手方向に拡散させることができる。すなわち、その排泄物を幅方向拡散手段の端部の方へ送出することができる。それにより、交換時期が近づいたとき、幅方向拡散手段の端部付近の排泄物の量を多くすることができ、臭気を発生し易くすることができる。
【００１６】
（９）前記幅方向拡散部は、前記幅方向に延設され、前記厚さ方向において前記液透過性層の表面から前記吸収層に達する溝部である、上記（１）乃至（８）のいずれか一項に記載の吸収性物品であってもよい。
本吸収性物品では、上記のように構成されるので、構造が簡潔でありながら排泄物の流通性が高いため、確実に排泄物を幅方向の両端に供給することができる。
【００１７】
（１０）前記液不透過性層の前記吸収層と反対側の表面に、長手方向に延在し、幅方向の中心点を挟んで所定の間隔で配置された一対の固定部を更に備える、上記（９）に記載の吸収性物品であってもよい。
本吸収性物品は、上記のように構成されるので、各固定部は下着に粘着されるため、吸収性物品における一対の固定部に対応する部分は下着と重なることにより高い剛性を有するようになる。ここで、吸収性物品の使用時に、吸収性物品における着用者の鼠蹊部に対面する部分は、両足の付け根に挟まれることにより、幅方向において両外側から内側へ圧縮される。このとき、鼠蹊部に対面する部分のうち、一対の固定部に対応する部分は高い剛性を有するため、当該部分そのものは幅方向に圧縮されず、両者の間の部分（幅方向の中心点の部分に相当）が肌対向面側（上方側）に盛り上がることで、圧縮力を逃がしている。その結果、一対の固定部に対応する部分の間に、長手方向に延在する凸状の畝部が形成される。この畝部により、排泄物は長手方向により確実に移動することができる。
【発明の効果】
【００１８】
本発明によれば、消臭機能を備えつつ、交換時期を的確に把握することができる吸収性物品を提供できる。
【図面の簡単な説明】
【００１９】
【図１】図１は、実施形態に係る吸収性物品の構成を示す平面図である。
【図２】図２は、図１のＩＩ−ＩＩ'線に沿う断面図である。
【図３】図３は、実施形態に係る吸収性物品の各領域を説明するための平面図である。
【図４】図４は、図１のＩＩ−ＩＩ'線に沿う断面での消臭剤配置領域の消臭剤の分布を説明するための模式図である。
【図５】図５は、実施形態に係る吸収性物品の幅方向拡散手段の機能を説明するための模式図である。
【図６】図６は、実施形態に係る吸収性物品の長手方向拡散手段及び幅方向拡散手段の機能を説明するための模式図である。
【図７】図７は、他の実施形態に係る吸収性物品の図１のＩＩ−ＩＩ'線に沿う断面図である。
【発明を実施するための形態】
【００２０】
以下、実施形態に係る吸収性物品について、図面を参照して説明する。本実施形態では、吸収性物品の例として軽失禁パッドについて説明する。したがって、本実施形態では、吸収性物品の吸収対象である排泄物は尿である。ただし、本発明の吸収性物品の種類及び用途は特に限定されるものではなく、パンティライナー、生理用ナプキン、使い捨ておむつ（テープ型、パンツ型）のような吸収性物品に適用することができる。
【００２１】
図１〜図３は実施形態に係る吸収性物品１（軽失禁パッド）の構成を示している。ただし、図１は展開した状態の吸収性物品１の構成を示す平面図である。図２は図１のＩＩ−ＩＩ'線に沿う断面図である。図３は吸収性物品１の各領域を説明するための平面図である。吸収性物品１は、長手方向ＤＬ、幅方向ＤＷ及び厚さ方向ＤＴを有し、幅方向ＤＷの中心を通り、長手方向ＤＬに延びる中央軸線ＣＬと、長手方向ＤＬの中心を通り、幅方向ＤＷに延びる中央軸線ＣＷを更に有している。また、図１及び図３において、向って上方を吸収性物品１の前方とし、向って下方が吸収性物品１の後方とする。
【００２２】
本明細書においては、中央軸線ＣＬに向かう方向を、幅方向ＤＷにおける内側の方向といい、中央軸線ＣＬから遠ざかる方向を、幅方向ＤＷにおける外側の方向という。同様に、中央軸線ＣＷに向かう方向を、長手方向ＤＬにおける内側の方向といい、中央軸線ＣＷから遠ざかる方向を長手方向ＤＬにおける外側の方向という。また、吸収性物品１の厚さ方向ＤＴにおいて、着用者の肌面に対向する側（肌対向面側）に向かう方向を、肌対向面側の方向といい、着用者の肌面に対向する側とは反対側（非肌対向面側）に向かう方向を、非肌対向面側の方向という。
【００２３】
図１に示すように、本実施形態の吸収性物品１は、平面視にて、長手方向ＤＬに延びる長辺と幅方向ＤＷに延びる短辺を有する長方形の長手方向両端縁が円弧状に膨らんだ形状を有している。ただし、本発明において吸収性物品１の形状は、このような形状に限定されず、長手方向ＤＬの長さ寸法が幅方向ＤＷの幅寸法よりも長い長形状のものであれば、任意の縦長の形状（例えば、長方形、楕円形、瓢箪形など）とすることができる。
【００２４】
図２に示すように、本実施形態の吸収性物品１は、表面シート２（液透過性層）と、裏面シート３（液不透過性層）と、表面シート２と裏面シート３との間に位置する吸収層、すなわち吸収性シートＳＡ１（第１の吸収層）及び消臭剤含有層ＳＡ２（第２の吸収層）を含む吸収層と、を備えている。
【００２５】
表面シート（液透過性層）２は、厚さ方向ＤＴにおいて着用者の肌対向面側に位置する液透過性シートである。表面シート２としては、例えば、液透過性の不織布や織布、液透過孔が形成された合成樹脂フィルム、これらの複合シートなど、任意の液透過性シートが挙げられる。裏面シート３（液不透過性層）は、着用者の非肌対向面側に位置する液不透過性のシートである。裏面シート３としては、例えば、液不透過性の不織布や合成樹脂フィルム、不織布と合成樹脂フィルムとの複合シート、ＳＭＳ不織布など、任意の液不透過性シートが挙げられる。吸収性シートＳＡ１（第１の吸収層）は、表面シート２と裏面シート３との間に位置する、液吸収性能及び液保持性能を有し、好ましくは消臭性能を有する層である。吸収性シートＳＡ１は、本実施形態では、吸収性ポリマー６を含む吸収性材料を２枚の液透過性シート７、７’（例示：エアスルー不織布）で挟持した構成を有する。消臭剤含有層ＳＡ２（第２の吸収層）は、吸収性シートＳＡ１と裏面シート３との間に位置する、液吸収性能、液保持性能及び消臭性能を有する層である。消臭剤含有層ＳＡ２は、本実施形態では、消臭剤（例示：シクロデキストリン）と吸収性ポリマー及び液保持性物質（例示：パルプ）の混合物とを含む消臭剤含有吸収材層４を２枚の液透過性シート（例示：ティッシュ）からなるキャリアシート５、５’で挟持した構成を有する。
【００２６】
図２に示すように、本実施形態の吸収性物品１は、更に、一対のサイドギャザーシート８ａ，８ａ’と、外装シート８ｂと、線状弾性部材９，９’と、固定部３３、３３と、を備えている。
【００２７】
一対のサイドギャザーシート８ａ、８ａ’は、表面シート２における幅方向ＤＷの両側の表面を覆うように配置され、長手方向ＤＬに延びる防漏壁である。一対のサイドギャザーシート８ａ、８ａ’は、表面シート２の幅方向ＤＷの両側の表面において立設可能に折り畳まれ、幅方向ＤＷの内側の端縁がギャザー部を形成するように自由端とされている。線状弾性部材９、９’は、一対のサイドギャザーシート８、８’の自由端の近傍に、長手方向ＤＬに沿って延びる線状の弾性体である。線状弾性部材９、９’は、一対のサイドギャザーシート８、８’のそれぞれに２本ずつ配置され、一対のサイドギャザーシート８、８’の端縁を収縮させる。外装シート８ｂは、裏面シート３の非肌対向面側に接合され、その周縁部分において一対のサイドギャザーシート８ａ、８ａ’と相互に接合されている。固定部３３、３３は、外装シート８ｂにおける吸収層と反対側に、長手方向ＤＬに沿って貼り付けられた細長い矩形状の粘着テープである。固定部３３、３３は、吸収性物品１の個包装時にはセパレータを介して吸収性物品１を包装シート３０に固定し、吸収性物品１の使用時には吸収性物品１を着用者の下着などに再固定する。
【００２８】
吸収性物品１は、図３に示すように平面視にて、略中央の領域に、排泄口当接域ＴＳを有している。排泄口当接域ＴＳは、中央軸線ＣＬを幅方向ＤＷに跨って延在すると共に、中央軸線ＣＷを長手方向ＤＬに跨って延在している。本実施形態では、排泄口当接域ＴＳの幅方向ＤＷの中心が中央軸線ＣＬとほぼ重なり、長手方向ＤＬの中心が中央軸線ＣＷとほぼ重なる。ここで、「排泄口当接域」とは、着用者が吸収性物品を着用する際に、着用者の排泄口の位置に対応し得る領域であり、すなわち着用者の排泄口が当接し得る領域を指し、吸収性物品の種類、具体的には、着用者から排出される尿や便、経血などの排泄物の種類、着用者の年齢や性別などに応じて、吸収性物品の種類毎に適宜設定される領域である。本実施形態では、排泄口当接域ＴＳは、図３に示す長手方向ＤＬに長い長方形の形状であって、後述の幅方向拡散手段１６や長手方向拡散手段１４のような圧搾溝の内側の領域とする。なお、排泄口当接域ＴＳは、典型的には吸収性物品の長手方向ＤＬの全長の約１／３程度の長手方向長さと、吸収性物品の幅方向ＤＷの全長の約１／３程度の幅方向長さを有する。排泄物は、着用者の排泄口から排出されると、まず主に排泄口当接域ＴＳにおいて吸収性物品１に吸収され、次いで表面シート２及び吸収層において吸収されつつ主に長手方向ＤＬに拡散する。排泄口当接域ＴＳの中央領域には、吸収層の嵩が周辺部よりも高い部分、すなわち嵩高部が設けられていてもよい。その場合、厚さ方向ＤＴにおいて嵩高部の厚さは周辺部の厚さよりも厚い。
【００２９】
また、図３に示すように、本実施形態の吸収性物品１において、消臭剤含有層ＳＡ２は、平面視にて、吸収性物品１の長手方向ＤＬ及び幅方向ＤＷに延在する接着剤塗工領域ＴＨと、長手方向ＤＬ及び幅方向ＤＷに延在する消臭剤配置領域ＴＣと、を有している。ただし、消臭剤配置領域ＴＣの長手方向ＤＬにおける両端縁ＥＬＣ、Ｅ’ＬＣ及び幅方向ＤＷにおける両端縁ＥＷＣ、Ｅ’ＷＣは、それぞれ接着剤塗工領域ＴＨの長手方向ＤＬにおける両端縁ＥＬＨ、Ｅ’ＬＨ及び幅方向ＤＷにおける両端縁ＥＷＨ、Ｅ’ＷＨよりも、長手方向ＤＬ及び幅方向ＤＷにおいて内側に位置している。
【００３０】
ここで、「接着剤塗工領域」とは、消臭剤含有層ＳＡ２における消臭剤含有吸収材層４をキャリアシート５及び／又はキャリアシート５’に接着するための接着剤がキャリアシート５及び／又はキャリアシート５’に塗工された平面視における領域を意味する。具体的には、吸収性物品１の長手方向ＤＬ及び幅方向ＤＷに延設される領域である。その形状は任意であるが、本実施形態では、長手方向ＤＬの端縁ＥＬＨ、Ｅ’ＬＨと幅方向ＤＷの端縁ＥＷＨ、Ｅ’ＷＨとを有する長方形の長手方向両端縁が円弧状に膨らんだ形状を有している。また、本実施形態では、この接着剤塗工領域ＴＨは、キャリアシート５’上に形成されている。この接着剤塗工領域ＴＨは、着用者から排出された排泄物と消臭剤との接触効率の観点から、図３に示すように、平面視にて、吸収性物品の長手方向ＤＬに延びる中央軸線ＣＬを幅方向ＤＷに跨って該幅方向ＤＷに延在すると共に、吸収性物品の幅方向ＤＷに延びる中央軸線ＣＷを長手方向ＤＬに跨って該長手方向ＤＬに延在する領域であることが好ましい。
【００３１】
また、「消臭剤配置領域」とは、所定坪量以上の消臭剤がキャリアシート５’（消臭剤保持シート）の表面上に配置された平面視における領域を意味し、具体的には、長手方向ＤＬに延設され、幅方向ＤＷの中央領域に位置する領域である。その形状は任意であるが、本実施形態では、長手方向ＤＬの端縁ＥＬＣ、Ｅ’ＬＣと幅方向ＤＷの端縁ＥＷＣ、Ｅ’ＷＣとを有する細長い長方形の形状を有している。この消臭剤配置領域ＴＣは、着用者から排出された排泄物と消臭剤との接触効率の向上等の観点から、図３に示すように、平面視にて、吸収性物品の長手方向ＤＬに延びる中央軸線ＣＬを幅方向ＤＷに跨って該幅方向ＤＷに延在すると共に、吸収性物品の幅方向ＤＷに延びる中央軸線ＣＷを長手方向ＤＬに跨って該長手方向ＤＬに延在する領域であることが好ましい。また、本実施形態では、消臭剤配置領域ＴＣの幅方向ＤＷの中心が中央軸線ＣＬとほぼ重なり、長手方向ＤＬの中心が中央軸線ＣＷとほぼ重なる。言い換えると、排泄口当接域ＴＳ及び消臭剤配置領域ＴＣにおいて、幅方向ＤＷの中心及び長手方向ＤＬの中心がそれぞれ重なる。それにより、排泄口から排出される排出物を消臭剤配置領域ＴＣに確実に導くことができる。特に、本実施形態では、幅方向ＤＷについては、着用者の排泄物が最初に吸収性物品１に接し易い、すなわち排泄物の供給量が多い範囲に消臭剤配置領域ＴＣを設けている。
【００３２】
図４は吸収性物品１における図１のＩＩ−ＩＩ'線に沿った断面での消臭剤配置領域ＴＣの消臭剤の分布を説明するための模式図である。横軸は幅方向ＤＷにおける吸収性物品１での位置を示し、縦軸は消臭剤の坪量を示し、曲線ＢＷは消臭剤の坪量の分布を示す曲線である。本実施形態では、消臭剤の坪量の分布が図４に示す曲線ＢＷとなるように、キャリアシート５’表面に消臭剤を配置する。ただし、曲線ＢＷは、消臭剤配置領域ＴＣの中央領域（中央軸線ＣＬを含む領域）でピークを有する上に凸の曲線である。消臭剤含有層ＳＡ２における消臭剤以外の材料は場所によらずほぼ同一とする。曲線ＢＷは、例えば、中央軸線ＣＬを含む領域にピークを有し、中央軸線ＣＬを基準として幅方向ＤＷに線対称な略釣鐘形状又は略台形状の曲線が挙げられる。したがって、消臭剤配置領域ＴＣ内では消臭剤の坪量が相対的に大きく、消臭剤配置領域ＴＣの幅方向ＤＷの両外側では消臭剤の坪量が相対的に小さい。言い換えると、消臭剤配置領域ＴＣ内の任意の位置での消臭剤の坪量は、消臭剤配置領域ＴＣの幅方向ＤＷの両外側での任意の位置での消臭剤の坪量より小さい。したがって、消臭剤配置領域ＴＣは、相対的に大きい坪量の消臭剤がキャリアシート５’の表面上に配置された平面視における領域ということができる。
【００３３】
消臭剤配置領域ＴＣの幅方向ＤＷの寸法は、後述される幅方向拡散手段１６の幅方向ＤＷの寸法よりも小さければ特に制限はなく、吸収性物品１の種類（例示：吸収対象の排泄物の種類、吸収可能な排泄物の容量など）に応じて適宜設定される。好ましくは、幅方向ＤＷにおいて着用者の排泄物が最初に吸収性物品１に接し易い、すなわち排泄物の供給量が多い、排泄口当接域ＴＳの幅方向ＤＷの範囲よりも内側の範囲である。それに応じて、消臭剤配置領域ＴＣの内と外との境界となる坪量ＢＷＴＨも設定される。消臭剤配置領域ＴＣの幅方向ＤＷの寸法は、典型的には、幅方向拡散手段１６の幅方向ＤＷの寸法の１／２以上、その寸法未満の値が挙げられる。
【００３４】
この場合、吸収性物品１の製造工程において、消臭剤を消臭剤配置領域ＴＣに配置する工程では、消臭剤配置領域ＴＣでの上記坪量が相対的に大きく、消臭剤配置領域ＴＣの幅方向ＤＷ外側での上記坪量が相対的に小さくなるように、消臭剤がキャリアシート５’上に配置される。その配置方法としては、例えば、幅方向ＤＷに沿って、消臭剤配置領域ＴＣ用及びその両側の領域用にそれぞれ消臭剤供給管を配置し、消臭剤配置領域ＴＣ用の消臭剤供給管での消臭剤の供給量を多くし、その両側の領域用の消臭剤供給管での消臭剤の供給量を少なくする方法が挙げられる。あるいは、例えば、キャリアシート５’表面の領域の上方から消臭剤配置領域ＴＣに、予め設定された運動量又はエネルギーで勢い良く消臭剤を供給することにより、消臭剤配置領域ＴＣに消臭剤を堆積させつつ、堆積された消臭剤のうちの上部の消臭剤が崩れて消臭剤配置領域ＴＣにおける幅方向ＤＷの両側に拡がるようにする方法が挙げられる。
【００３５】
また、吸収性物品１は、図３に示すように、幅方向拡散手段１６を更に備えている。幅方向拡散手段１６は、排泄口当接域ＴＳに対して長手方向ＤＬの外側に位置し、幅方向ＤＷに延設され、内部へ浸入してくる排泄物を幅方向ＤＷに拡散させる。幅方向拡散手段１６は、表面シート２や吸収層（吸収性シートＳＡ１及び消臭剤含有層ＳＡ２）中を長手方向ＤＬに拡散してくる排泄物を幅方向ＤＷに拡散させることが可能な構造を有していれば特に制限はない。本実施形態では、幅方向拡散手段１６は、圧搾溝であり、長手方向ＤＬにおいて排泄口当接域ＴＳの両外側に形成されており、両端部が幅方向ＤＷにおいて排泄口当接域ＴＳよりも外側に位置している。また、本実施形態では、幅方向拡散手段１６（圧搾溝）は、厚さ方向ＤＴに表面シート２の表面から消臭剤含有層ＳＡ２の内部、例えばキャリアシート５まで達する溝であり、エンボス加工により形成される。溝の深さをキャリアシート５まで達する深さとすることは、幅方向拡散手段１６の機能を高めつつ、消臭剤含有吸収材層４から吸収性材料を漏れ出すおそれがない点で好ましい。また、本実施形態では、圧搾溝の底部の下側部分（非肌対向面側部分）には、圧搾によって周囲よりも繊維密度の高い高密度部１５が形成されている。なお、幅方向拡散手段１６（圧搾溝）は、厚さ方向ＤＴに表面シート２の表面から吸収性シートＳＡ１の内部まで達する溝であってもよい。
【００３６】
図３に示すように、吸収性物品１では、幅方向拡散手段１６が消臭剤配置領域ＴＣと交差している。そして、幅方向拡散手段１６の幅方向ＤＷの両端部は、消臭剤配置領域ＴＣの幅方向ＤＷの外側に位置している。このような幅方向拡散手段１６は、以下に示すような機能を有している。
【００３７】
図５は吸収性物品１の消臭剤配置領域ＴＣ及び幅方向拡散手段１６の機能を説明するための模式図である。吸収性物品１の使用時において、吸収性物品１は両足の付け根に挟まれ、幅方向ＤＷにおいて両外側から内側へ圧縮されるため、長手方向ＤＬに延びる肌対向面側に凸な畝形状を形成する。そのため、吸収性物品１が吸収している排泄物の量が少ないときには、排泄口Ｘから排出された排泄物２０は、主に長手方向ＤＬに拡散し、かつ、厚さ方向ＤＴに浸透して、吸収性シートＳＡ１及び消臭剤含有層ＳＡ２に吸収される。このとき、排泄物２０の移動する長手方向ＤＬに沿って消臭剤含有層ＳＡ２の消臭剤配置領域ＴＣに配置されている消臭剤が相対的に多いので、排泄物２０の臭気は消臭剤に吸収される。更に、吸収性シートＳＡ１の吸収性ポリマー６が消臭成分を含んでいれば、排泄物２０の臭気はその消臭成分にも吸収される。したがって、吸収性物品１が吸収している排泄物の量が少ないときには、排泄物の臭気は外部へは拡散しない。
【００３８】
しかし、吸収性物品１が吸収している排泄物の量が多くなると、排泄物２０は排泄口Ｘの近傍の吸収性シートＳＡ１及び消臭剤含有層ＳＡ２に吸収され難くなる。そのため排泄物２０は、更に長手方向ＤＬに拡散して、幅方向拡散手段１６に達するようになる。その排泄物２０のうち、一部の排泄物２０ａは幅方向拡散手段１６内をその幅方向ＤＷの両端部へ向かって拡散し、残りの排泄物２０ｂはそのまま幅方向拡散手段１６を超えて長手方向ＤＬに拡散する。このとき、幅方向拡散手段１６を超えて長手方向ＤＬに拡散した排泄物２２については、排泄物２２の移動する長手方向ＤＬに沿って消臭剤配置領域ＴＣに消臭剤が配置されているので、排泄物２２の臭気は消臭剤により吸収されて、外部への漏えいが起こらない。一方、幅方向拡散手段１６内を幅方向ＤＷの両端部へ向かって拡散する排泄物２０ａについては、幅方向拡散手段１６の幅方向ＤＷの両端部に排泄物２０ａが集中して多量に溜まり、かつ、幅方向拡散手段１６の幅方向ＤＷの両端部は消臭剤配置領域ＴＣから離れていて消臭剤の量が相対的に少ないため、排泄物２０ａの臭気は消臭剤により吸収しきれず、外部へ漏えいする。したがって、吸収性物品１が吸収している排泄物の量が多いときには、幅方向拡散手段１６の両端部及びその近傍から、排泄物の臭気が外部へ拡散する。
【００３９】
このように、吸収性物品１は、吸収性物品１が吸収している排泄物の量が少ないとき、すなわち吸収性物品１の交換時期ではないときには、排泄物の臭気を外部へ拡散させず、吸収性物品１が吸収している排泄物の量が多いとき、すなわち吸収性物品１の交換時期になったときには、排泄物の臭気を外部へ拡散できる。よって、消臭機能を備えつつ、交換時期を把握可能な吸収性物品１を得ることができる。
【００４０】
また、幅方向拡散手段１６へ達した排泄物２０は、幅方向拡散手段１６を超えて長手方向ＤＬに拡散する排泄物２０ｂと、幅方向拡散手段１６の両端部へ拡散する排泄物２０ａとに分かれる。したがって、漏えいする臭気の元となる排泄物２０ａの量は少なくなるので、発生する臭気の量も少なくなる。言い換えると、吸収性物品１は、着用者は気付くことができるが、周囲の人は気付くことができない程度の弱い臭気を発することができる。よって、消臭機能を備えつつ、交換時期を着用者本人のみが把握可能な吸収性物品１を得ることができる。
【００４１】
本実施形態において、吸収性物品１は、消臭剤含有層内の消臭剤が、接着剤によりキャリアシート５’に部分的に接合されており、且つ、平面視にて、消臭剤配置領域ＴＣの長手方向ＤＬにおける両端縁ＥＬＣ、Ｅ’ＬＣ及び幅方向ＤＷにおける両端縁ＥＷＣ、Ｅ’ＷＣが、それぞれ接着剤塗工領域ＴＨの長手方向ＤＬにおける両端縁ＥＬＨ、Ｅ’ＬＨ及び幅方向ＤＷにおける両端縁ＥＷＨ、Ｅ’ＷＨよりも、長手方向ＤＬ及び幅方向ＤＷにおいて内側に位置する構造を有している。そのため、消臭剤が接着剤によってキャリアシート５’に保持されている部分では、消臭剤含有吸収材層４内の消臭剤がキャリアシート５’の面方向に移動し難くなっており、また、消臭剤が接着剤によってキャリアシート５’に保持されていない部分では、消臭剤含有吸収材層４内の消臭剤がキャリアシート５’の面方向に一定程度移動することができるものの、消臭剤配置領域ＴＣの長手方向ＤＬにおける両端縁ＥＬＣ、Ｅ’ＬＣ及び幅方向ＤＷにおける両端縁ＥＷＣ、Ｅ’ＷＣよりもそれぞれ外側に位置する接着剤により、それより外側へは移動し難くなっている。したがって、本実施形態の吸収性物品１は、消臭剤含有層ＳＡ２内の消臭剤を接着剤によって規定された接着剤塗工領域ＴＨ内に留めておくことができ、消臭剤が偏在化するのを効果的に防ぐことができる。
【００４２】
なお、本発明の吸収性物品１においては、消臭剤配置領域ＴＣと接着剤塗工領域ＴＨとの構成は上述された構成に限定されるものではない。例えば、消臭剤配置領域ＴＣの長手方向ＤＬにおける両端縁ＥＬＣ、Ｅ’ＬＣ又は幅方向ＤＷにおける両端縁ＥＷＣ、Ｅ’ＷＣのいずれかが、接着剤塗工領域ＴＨの長手方向における両端縁ＥＬＨ、Ｅ’ＬＨ又は幅方向ＤＷにおける両端縁ＥＷＨ、Ｅ’ＷＨよりも、長手方向ＤＬ又は幅方向ＤＷにおいて内側に位置する構造を有していればよい。そのような構造を有する吸収性物品においても、消臭剤含有層内の消臭剤を接着剤によって規定された接着剤塗工領域ＴＨ内に一定程度留めておくことができ、消臭剤が偏在化するのを十分に防ぐことができる。
【００４３】
また、本実施形態では、吸収性物品１は、図３に示すように、長手方向拡散手段１４を備えている。長手方向拡散手段１４は、消臭剤配置領域ＴＣに対して、好ましくは排泄口当接域ＴＳに対して幅方向ＤＬの外側に位置し、長手方向ＤＬに、好ましくは幅方向拡散手段１６の外側に延設されている。長手方向拡散手段１４は、幅方向ＤＬへの排泄物の拡散を防止すると共に、排泄物を長手方向ＤＬに拡散させる。長手方向拡散手段１４は、表面シート２や吸収層（吸収性シートＳＡ１及び消臭剤含有層ＳＡ２）中を幅方向ＤＷに拡散してくる排泄物を長手方向ＤＬに拡散させることが可能な構造を有していれば特に制限はない。本実施形態では、長手方向拡散手段１４は、圧搾溝であり、幅方向ＤＷにおいて消臭剤配置領域ＴＣ及び排泄口当接域ＴＳの両外側で、かつ、幅方向拡散手段１６の外側に延設されている。また、本実施形態では、長手方向拡散手段１４（圧搾溝）は、厚さ方向ＤＴに表面シート２の表面から消臭剤含有層ＳＡ２の内部、例えばキャリアシート５まで達する溝であり、エンボス加工により形成される。溝の深さをキャリアシート５まで達する深さとすることは、長手方向拡散手段１４の機能を高めつつ、消臭剤含有吸収材層４から吸収性材料を漏れ出すおそれがない点で好ましい。また、本実施形態では、圧搾溝の底部の下側部分（非肌対向面側部分）には、圧搾によって周囲よりも繊維密度の高い高密度部１５が形成されている。なお、長手方向拡散手段１４（圧搾溝）は、厚さ方向ＤＴに表面シート２の表面から吸収性シートＳＡ１の内部まで達する溝であってもよい。
【００４４】
図６は吸収性物品１の長手方向拡散手段１４及び幅方向拡散手段１６の機能を説明するための模式図である。吸収性物品１の使用時において、吸収性物品１が吸収している排泄物の量が多くなると、消臭剤配置領域ＴＣ（及び／又は排泄口当接域ＴＳ）の幅方向ＤＷの外両側へも排泄物２３が拡散し、長手方向拡散手段１４内部に浸入して排泄物２４となる。このとき、排泄物２４を長手方向ＤＬに拡散させ、長手方向拡散手段１４の端部から排泄物２５として排出させることにより、長手方向拡散手段１４の端部近傍での排泄物２５の量を多くすることができる。すなわち、排泄物の幅方向の漏えいを防止しつつ、交換時期が近づいたとき、長手方向拡散手段１４の端部又はその近傍において排泄物の量を多くして、臭気を発生し易くすることができる。
【００４５】
特に、本実施形態の吸収性物品１では、長手方向拡散手段１４は、幅方向ＤＷにおいて幅方向拡散手段１６の外側で、長手方向ＤＬにおいて幅方向拡散手段１６の外側に延設されている。それにより、幅方向拡散手段１６を超えて長手方向ＤＬの外側に排泄物２５を拡散させることができる。すなわち、幅方向拡散手段１６の端部から離れた箇所にその排泄物２５を拡散させることができる。幅方向拡散手段１６の端部から離れた箇所では、幅方向拡散手段１６の端部からの排泄物２２ａの影響が少なく、すなわち供給される排泄物の量が少ないため、吸収性シートＳＡ１や消臭剤含有層ＳＡ２による消臭効果をある程度期待できる。したがって、交換時期が近づいたとき、排泄物が集中することなく、すなわち臭気が極端に強くならないようにしながら、臭気を発生し易くすることができる。
【００４６】
また、図１に示すように、本実施形態の吸収性物品１は、吸収性物品１を着衣に固定するために所定の間隔で配置された複数の固定部３３を備えている。固定部３３としては、例えば接着剤や粘着シートが挙げられる。吸収性物品１は、個包装されるときには、複数の固定部３３により、略矩形状の包装シート３０に取り外し可能に固定され、その包装シート３０により包装される。ただし、包装シート３０は、複数の固定部３３と接する部分に、それぞれ剥離シート（図示されず）を有しており、吸収性物品１は包装シート３０に剥離可能に固定される。それにより吸収性物品１は、使用時に包装シート３０から剥離され、複数の固定部３３により着用者の着衣に再固定される。本実施形態では、吸収性物品１は、外装シート８ｂの消臭剤含有層ＳＡ２と反対側の表面に、長手方向ＤＬに延在し、幅方向ＤＷの中心点（又は中央軸線ＣＬ）を挟んで所定の間隔で配置された一対の固定部３３を備えている。
【００４７】
このような構成を有する吸収性物品１では、各固定部３３は着用者の着衣、例えば下着に粘着されるため、吸収性物品１における一対の固定部３３に対応する部分は下着と密着することにより高い剛性を有するようになる。ここで、吸収性物品１の使用時には、吸収性物品１における着用者の鼠蹊部に対面する部分は、両足の付け根に挟まれることにより、幅方向ＤＷにおいて両外側から内側へ圧縮される。このとき、鼠蹊部に対面する部分のうち、一対の固定部３３に対応する部分は高い剛性を有するため、当該部分そのものは幅方向ＤＷに圧縮されず、一対の固定部３３の間の部分（幅方向ＤＷの中央軸線ＣＬ上の部分に相当）が肌対向面側に盛り上がることで、圧縮力を逃がしている。その結果、一対の固定部３３に対応する部分の間に、長手方向ＤＬに延在する凸状の畝部が形成される。この畝部により、排泄口から排泄された排泄物は長手方向ＤＬへより確実に移動することができる。
【００４８】
また、図１に示すように、吸収性物品１と包装シート３０とは、個包装されるときには、吸収性物品１が包装シート３０に固定された状態で、幅方向ＤＷに平行に延びる複数の折れ線ＦＬＶの位置で、吸収性物品１を内側にして折り畳まれる。複数の折れ線ＦＬＶは長手方向ＤＬに所定の間隔で配置されている。本実施形態では、複数の折れ線ＦＬＶは吸収性物品１の前方側から順に二本の折れ線ＦＬＶ１、ＦＬＶ２であり、折れ線ＦＬＶ１の位置、折れ線ＦＬＶ２の位置の順に折り畳まれて、テープ３２で固定される。
【００４９】
このとき、図１に示すように、本実施形態の吸収性物品１は、排泄口当接域ＴＳ及び排泄口当接域ＴＳと幅方向拡散手段１６との間に、折れ線ＦＬＶによる個包装用の折り目を有さない。そのため、排泄物が排泄口当接域ＴＳから長手方向ＤＬに拡散するとき、幅方向拡散手段１６に到達することを折り目により妨害されることはない。したがって、排泄物をより確実に幅方向拡散手段１６へ供給することができる。それにより、吸収性物品１が吸収している排泄物の量が多くなったとき、すなわち交換時期が近づいたとき、排泄物を確実に幅方向拡散手段１６に供給して、確実に臭気を発生させることができる。
【００５０】
また、図１に示すように、本実施形態の吸収性物品１は、幅方向拡散手段１６の位置に、幅方向ＤＷに沿って、折れ線ＦＬＶによる個包装用の折り目を有する。それにより、幅方向拡散手段１６と折り目により長手方向ＤＬへ移動する排泄物の動きを抑制させて、幅方向拡散手段１６内の排泄物を確実に幅方向に拡散させることができる。すなわち、幅方向拡散手段１６の幅方向ＤＷでの排泄物の動きを促進して、両端部付近に排泄物を確実に移動させることができる。それにより、交換時期が近づいたとき、確実に臭気を発生させることができる。
【００５１】
また、図１及び図２に示すように、本実施形態の吸収性物品１は、一対のサイドギャザーシート８、８’を備えているので、吸収性物品１が吸収している排泄物の量が多くなり、排泄口当接域ＴＳに対して幅方向ＤＷの外側に排泄物が拡散し、一対のサイドギャザーシート８、８’に達したとき、その排泄物を長手方向ＤＬに拡散させることができる。すなわち、その排泄物を幅方向拡散手段１６の端部の方へ送出することができる。それにより、交換時期が近づいたとき、幅方向拡散手段の端部付近の排泄物の量を多くすることができ、臭気を発生し易くすることができる。
【００５２】
また、本実施形態の表面シート２は、長手方向ＤＬに沿って延びる畝溝構造（凸凹構造）を有していることが好ましい。すなわち、表面シート２は、長手方向ＤＬに延設され、幅方向ＤＷに所定の間隔で隣り合う複数の畝部（凸部）と、複数の畝部のうちの隣り合う畝部の間に、長手方向ＤＬに延設された複数の溝部（凹部）と、を備えていることが好ましい。それにより、表面シート２が長手方向ＤＬに延設された畝溝構造を有しているので、排泄物をその畝溝に沿って長手方向に容易に移動させることができる。それにより、吸収性物品１が吸収している排泄物の量が多くなったとき、すなわち交換時期が近づいたとき、排泄物を確実に幅方向拡散手段１６に導いて、幅方向拡散手段１６の幅方向ＤＷの両端部から送出させて、確実に臭気を発生させることができる。
【００５３】
次に、本実施形態における吸収性シートＳＡ１（第１の吸収層）の材料について説明する。まず、吸収性ポリマー６を含む吸収性材料において、吸収性ポリマー６としては、水を吸収して保持することのできるポリマーであれば特に制限はないが、例えば水溶性高分子が適度に架橋された三次元網目構造を有するポリマーなどが挙げられる。具体的には、デンプン系、アクリル酸系、アミノ酸系の粒子状又は繊維状ポリマーが挙げられる。このような吸収性ポリマーは、水だけでなく、アンモニア成分等からなる臭気も吸収するため、消臭効果も発揮することができる。
【００５４】
また、吸収性ポリマー６として、吸収性ポリマー粒子と任意の消臭成分とを一体化した消臭成分含有吸収性ポリマーなども好適に用いることができる。なお、消臭成分は、アンモニアやジメチルアミン等の臭気成分を吸着することによって、これらの臭気成分に起因する臭気を消すことができる成分を意味する。そのような消臭成分としては、例えば、活性炭；アルミナ；ゼオライト；シクロデキストリン；銀や銅等の殺菌性金属カチオンで置換されたゼオライト、活性炭やアルミナ等の表面に殺菌作用を有する第４級アンモニウム塩化合物が付着した複合体などの殺菌性消臭成分；尿中の尿素を分解してアンモニア成分を生成する細菌を殺菌する殺菌剤含有吸収性ポリマー；又はこれら各消臭成分の２種以上の組合せが挙げられる。
【００５５】
また、吸収性材料としては、上記の吸収性ポリマー６を含むものであれば特に制限はなく、当該吸収性ポリマー６のほかにパルプ等の吸水性繊維などからなる液保持性物質を含むことができる。その吸収性材料が上記の吸収性ポリマー６及び吸水性繊維を含む場合、上記の吸収性ポリマー６の含有量は、吸収層の単位面積当たり、その吸水性繊維の質量の１０〜９０％の範囲内である。なお、本実施形態においては、後述されるように第１の吸収層ＳＡ１の非肌対向面側に位置する第２の吸収層ＳＡ２には消臭剤としてシクロデキストリンが含まれる。そのため、そのシクロデキストリンに、着用者から排出された尿などの排泄物を効率よく接触させる観点から、その吸収性材料は、パルプ等の液保持性物質を含まないものが好ましい。
【００５６】
また、液透過性シート７、７’としては、液透過性を有するシートであれば特に制限されず、例えば、エアスルー不織布、スパンボンド、積層不織布（例えば、ＳＢＳ不織布等）、ティッシュなどの親水性の不織布を用いることができる。液透過性の観点から、前記液透過性シートはエアスルー不織布が好ましい。
【００５７】
本実施形態の吸収性物品１（軽失禁パッド）において、吸収性シートＳＡ１は以下の方法で作製することができる。まず、上述の吸収性ポリマー６（吸収性材料）を、接着剤Ｇを塗工した２枚の液透過性シート７、７’の間の、該２枚の液透過性シート７、７’の幅方向における中央域に配置する。次に、当該吸収性ポリマー６が配置された領域（吸収性ポリマー配置領域１１）の幅方向の両側に隣接する領域に、吸収性ポリマー６が存在しないように、吸収性ポリマー６を２枚の液透過性シート７、７’で挟持する。その後、その２枚の液透過性シート７、７’の幅方向における両端縁側の吸収性ポリマー６が配置されていない領域（吸収性ポリマー非配置領域１２）を、それぞれ長手方向に延びる折畳み線に沿って幅方向の内側に折り畳む（いわゆる、額巻きする）。以上により吸収性シートＳＡ１は形成される。
【００５８】
なお、２枚の液透過性シート７、７’の幅方向ＤＷにおける両端縁側の吸収性ポリマー非配置領域１２を幅方向ＤＷの内側に折り畳む際は、肌対向面側又は非肌対向面側のいずれの方向に折り畳んでもよい。このように吸収性ポリマー６を挟持した２枚の液透過性シート７、７’の各吸収性ポリマー非配置領域１２を折り畳むことで、吸収性ポリマー６が吸収性シートＳＡ１から漏出し難くなると共に、吸収性シートＳＡ１の折り畳まれた部分（折畳み部）が、４層の積層構造となることによって剛性が高くなる。ここで、吸収性物品１は、使用時に両足の付け根に挟まれることにより、幅方向ＤＷにおいて両外側から内側へ圧縮される。このとき、吸収性物品１の圧縮される部分のうち、折畳み部は高い剛性を有するため、当該部分そのものは幅方向ＤＷに圧縮されず、両者の間の部分、すなわち吸収性シートＳＡ１の中央部分が肌面側（上方側）に盛り上がるように変形することで、圧縮力を逃がしている。その結果、端部（非挟持部分）の間の中央部分（挟持部分）に、長手方向に延在する凸状の畝部が形成される。それにより、排泄口から排泄された排泄物を、盛り上がった吸収性シートＳＡ１の中央部分、すなわち消臭剤配置領域ＴＣに沿って長手方向ＤＬへより拡散し易くすることができる。
【００５９】
また、図２及び図３に示すように、本実施形態の吸収性物品１は、吸収性シートＳＡ１の幅方向ＤＷにおける両端縁側の折畳み部において、２枚の液透過性シート７，７’に挟まれた長手方向ＤLに延びる領域（香料塗工領域ＴＦ、Ｔ’Ｆ）の各々又はいずれか一方に、液体香料が塗工されている。このような位置に液体香料を塗工することで、臭気が拡散してもそれをマスキングでき、着用者はその臭気に気付くことができるが、周囲の人は気付くことができないようにできる。
【００６０】
本実施形態において、吸収性物品１における吸収性シートＳＡ１が配置される位置は、表面シート２と消臭剤含有層ＳＡ２との間であれば特に制限されず、更に消臭剤含有層ＳＡ２の非肌対向面側の位置に別の吸収性シートを配置してもよい。また、消臭剤含有層ＳＡ２の液吸収性能や液保持性能や排泄物の拡散性能が所望の性能であれば、吸収性シートＳＡ１を省略してもよい。
【００６１】
本発明の吸収性物品１においては、消臭剤含有層ＳＡ２の構造は上述の構造に限定されない。例えば、消臭剤含有層ＳＡ２は、粉粒物等の任意の形態のシクロデキストリンを、吸収性ポリマー及び／又は液保持性物質と共に、１枚の液透過性シートを折って挟むようにして、或いは３枚以上の液透過性シートで囲繞するようにして、或いは後述する他の実施形態のように、１枚の液透過性シート（シクロデキストリン被覆シート）で非肌対向面側から被覆するようにして、構成することができる。また、複数枚の液透過性シートをキャリアシートとして用いる場合、各液透過性シートは、同じ種類の液透過性シートを用いても、異なる種類の液透過性シートを用いてもよい。本発明においてキャリアシートに用いる液透過性シートは、例えば、パルプ等の細かい繊維の集合体からなる不織布（ティッシュを含む）、織布等の任意のシート状繊維構造体を用いることができる。
【００６２】
また、本発明の吸収性物品１において、消臭剤含有層ＳＡ２の消臭剤とキャリアシート（液透過性シート）との接合形態は、上記形態に限定されず、例えば、消臭剤が、該消臭剤の肌対向面側に配置される液透過性シートと接合されていてもよく、また、前記消臭剤が、該消臭剤の肌対向面側及び非肌対向面側の両方に配置される液透過性シートとそれぞれ接合されていてもよい。
【００６３】
また、本実施形態の吸収性物品１において、消臭剤含有層ＳＡ２の消臭剤含有吸収材層４に含まれる消臭剤としては、消臭成分を含む材料が挙げられる。消臭成分は、アンモニアやジメチルアミン等の臭気成分を吸着することによって、これらの臭気成分に起因する臭気を消すことができる成分を意味する。そのような消臭成分としては、例えば、活性炭；アルミナ；ゼオライト；シクロデキストリン；銀や銅等の殺菌性金属カチオンで置換されたゼオライト、活性炭やアルミナ等の表面に殺菌作用を有する第４級アンモニウム塩化合物が付着した複合体などの殺菌性消臭成分；尿中の尿素を分解してアンモニア成分を生成する細菌を殺菌する殺菌剤含有吸収性ポリマー；又はこれら各消臭成分の２種以上の組合せが挙げられる。特に、消臭性能の面からシクロデキストリンが好ましい。
【００６４】
ここで、シクロデキストリンは、グルコピラノース単位がα−１，４結合によって連結された環状オリゴ糖である。本発明の吸収性物品に用いられるシクロデキストリンは、特に制限されず、α−、β−、γ−シクロデキストリン及び／又はそれらの混合物のほかに、化学修飾（例えば、メチル化やアセチル化）されたα−、β−、γ−シクロデキストリン及び／又はそれらの混合物などを用いることができる。なお、本発明の吸収性物品において、「シクロデキストリン」は、未包接のシクロデキストリンのほか、各種活性成分を保持したシクロデキストリンなどを含む。
【００６５】
本発明の吸収性物品に用いられるシクロデキストリンの形態は、特に制限されず、種々の形態のものを用いることができるが、分散性や製造時の取扱い易さ、着用者から排出された尿などの排泄物との接触効率の向上等の観点から、マルトシクロデキストリン、プルラン、アラビアガム等のバインダーで粒径を調整したシクロデキストリン粉粒物として用いることが好ましい。
【００６６】
このような消臭剤含有層ＳＡ２は、消臭剤としての上述のシクロデキストリンと、吸収性ポリマー及び液保持性物質の混合物とを含む消臭剤含有吸収材層４を、ホットメルト型の接着剤を用いて、２枚のキャリアシート５、５’に接合することによって得ることができる。具体的には、ティッシュ等からなるキャリアシート５’（消臭剤保持シート）を着用者の肌対向面側となる面を上にして、キャリアシート５’を静止した状態で又は搬送しながら、キャリアシート５’の肌対向面側の表面上に接着剤を吸収性物品１の長手方向ＤＬに対応する方向に沿って塗工する接着剤塗工工程と、シクロデキストリンを、接着剤が塗工された接着剤塗工領域ＴＨ内の少なくとも接着剤の表面上に配置する消臭剤配置工程と、吸収性ポリマー及び液保持性物質（例えば、パルプ等）の混合物を、キャリアシート５’における接着剤塗工領域ＴＨ内の少なくとも接着剤及びシクロデキストリンの表面上に配置することによって、消臭剤含有吸収材層４を形成する消臭剤含有吸収材層形成工程と、消臭剤含有吸収材層４の肌対向面側の表面上に、接着剤を介して又は介さないでキャリアシート５を配置するキャリアシート配置工程と、により上述の消臭剤含有層ＳＡ２を得ることができる。
【００６７】
また、本発明の吸収性物品において、シクロデキストリンの塗工量は、特に制限されず、所望の消臭性能や吸収性能等に応じて適宜設定することができ、例えば、吸収性物品１個当たり２０ｍｇ〜１００ｍｇとすることができる。さらに、前記シクロデキストリンは、着用者から排出された尿などの排泄物とシクロデキストリンとの接触機会を増大させる観点から、図３に示すように、平面視にて、吸収性物品の排泄物吸収領域ＴＡを包含する領域内に配置されていることが好ましい。
【００６８】
次に、他の実施形態について説明する。本実施形態では、上記実施形態と相違する点について主に説明する。図７は、他の実施形態の吸収性物品１における図１のＩＩ−ＩＩ’線に沿う断面図である。この本実施形態に係る吸収性物品１は、以下のこと以外は、上述の実施形態と同様の構成を有している。すなわち、消臭剤（例示：シクロデキストリン）を含有する層（上記実施形態では、消臭剤含有吸収材層４）が消臭剤のみで構成された消臭剤層４’であること、該消臭剤の少なくとも一部が、表面シート２及び消臭剤層４’の間に位置する液透過性シート７’の非肌対向面側の表面（保持面）上に保持され、且つ液透過性シート７’が、保持面とは反対側の面に吸収性ポリマー６等の吸収性材料を保持して、吸収性材料の肌対向面側に配置される液透過性シート７と共に、吸収性シートＳＡ１を形成していること、及び消臭剤が、ティッシュ等の液透過性シートからなる消臭剤被覆シート１０によって、非肌対向面側から被覆されていること（すなわち、消臭剤含有層ＳＡ２が、消臭剤層４’及び消臭剤被覆シート１０を含むこと）、である。
【００６９】
本実施形態の吸収性物品１は、消臭剤（例示：シクロデキストリン）を含有する層が消臭剤のみによって構成されているため、着用者から排出された尿などの排泄物が消臭剤に接触する機会を増大させることができると共に、消臭剤を含有する層の厚さを薄くすることができ、吸収量に応じた薄型化等の任意の製品設計を実現することができる。
【００７０】
なお、本実施形態の吸収性物品１において、吸収性シートＳＡ１は、上記実施形態の吸収性物品１における吸収性シートと同様に作製することができる。そして、本実施形態においては、吸収性シートＳＡ１の非肌対向面側となる表面（すなわち、吸収性シートＳＡ１を構成する非肌対向面側の液透過性シート７’の保持面）上に、ホットメルト型の接着剤を吸収性物品１の長手方向ＤＬに対応する方向に沿って塗工した後、当該接着剤が塗工された接着剤塗工領域ＴＨ内の少なくとも接着剤の表面上に消臭剤を配置することによって、消臭剤層４’を形成する。さらに、消臭剤層４’上に、液透過性シートからなる消臭剤被覆シート１０を被覆する。それにより、吸収性シートＳＡ１と接合された、消臭剤含有吸収材層４及び消臭剤被覆シート１０を含む消臭剤含有層ＳＡ２を得ることができる。
【００７１】
本発明の吸収性物品は、上述した各実施形態に制限されることなく、本発明の目的、趣旨を逸脱しない範囲内において、適宜組合せや変更等が可能である。
【符号の説明】
【００７２】
１    吸収性物品
２    表面シート（液透過性層）
３    裏面シート（液不透過性層）
４    消臭剤含有吸収材層
１４    長手方向拡散手段
１６    幅方向拡散手段
ＴＳ    排泄口当接域
ＴＣ    消臭剤配置領域
ＴＨ    接着剤塗工領域
【図１】
0006328165.tif 000002
【図２】
0006328165.tif 000003
【図３】
0006328165.tif 000004
【図４】
0006328165.tif 000005
【図５】
0006328165.tif 000006
【図６】
0006328165.tif 000007
【図７】
0006328165.tif 000008